(57)【要約】【課題】  簡易な構成で、揺動体を常に本体に確実に嵌合させることができ、良好な使用状態で長く使用できるカラビナを提供する。【解決手段】  略Ｃ字形の本体１と、本体１の一端にピン１２によって回動自在に軸支された揺動体２と、本体１の他端に設けた揺動体２のストッパ１３とからなるカラビナにおいて、前記揺動体２の軸支側と反対側の自由端に前記ストッパ１３が嵌合する開口部２２を設けると共に、前記自由端の両側に突起部２４を設け、揺動体２が閉じるときに突起部２４がストッパ１３に当たることによって、揺動体２の回動を規制するカラビナ。【選択図】図１
2011050689.tif 000002
【特許請求の範囲】
【請求項１】
略Ｃ字形の本体と、前記本体の一端にピンによって回動自在に軸支された揺動体と、前記本体の他端に設けた揺動体のストッパとからなるカラビナにおいて、
前記揺動体の軸支側と反対側の自由端に前記ストッパと嵌合する開口部を設けると共に、前記自由端の両側に突起部を設け、揺動体の閉塞時に、前記開口部がストッパと嵌合しない場合に、突起部がストッパに当接することによって揺動体の回動を規制することを特徴とするカラビナ。
【発明の詳細な説明】
【技術分野】
【０００１】
本発明は、構成が簡易で確実な開閉作動が行えるカラビナに関するものである。
【背景技術】
【０００２】
カラビナは、従来より登山用品や荷役作業においてロープを掛ける道具として使用されていた。
【０００３】
従来のカラビナは、特許文献に示すように、登山用や洞窟探検用に使用されるもので、破断強度に優れ、大きな引張りに耐えることができるように製作されていた。
【先行技術文献】
【特許文献】
【０００４】
【特許文献１】特開平７−４７１５０号公報
【０００５】
最近では、カラビナは上述のような使用態様のほかに、日用品として使用されている。例えば、キーホルダー代わりに使用したりリュックサックに小物類を吊り下げるのに利用されている。カラビナをこのような用途で使用する際には、強度はそれほど要求されないため、デザインを重視した軽量な材質で作っていた。
【発明の概要】
【発明が解決しようとする課題】
【０００６】
最近では上記のような用途でカラビナを製作する際にデザインを重視した軽量な材質で作っていたが、その構成は従来と同一であるため、次のような問題点が生じていた。
【０００７】
図６、図７に示す従来例は、Ｃ字形の本体８０の一端に設けたピン固定部８１に、ピン８３で揺動体９０が回動自在に軸支されている。
揺動体９０の閉塞時には、揺動体９０は内部のスプリングの弾発力により、図６のＡ位置から矢印方向に回動し、先端の開口部９３が本体８０のストッパ８２に嵌合して回動が止まり、図６のＢ位置になる。
【０００８】
しかし、長期間の使用などによってピン８３が緩み、揺動体８０が変形したり傾いたりしてきた。そのため図７に示すように、揺動体９０の閉塞時に、開口部９３がストッパ８２に嵌合せずに外れて、本体８０から外側に飛び出して図６のＣ位置になることがあった。
このため揺動体９０が壊れてしまうこともあり、また内部のスプリングの弾発力に抗して揺動体９０を元の位置に戻すことは困難であった。
【０００９】
本発明は上記の点に鑑みなされたものであり、揺動体の開口部が常にストッパと嵌合して、良好な使用状態が長く保たれるカラビナを提供することを目的とする。
【課題を解決するための手段】
【００１０】
本発明の要旨とするところは、略Ｃ字形の本体と、前記本体の一端にピンによって回動自在に軸支された揺動体と、前記本体の他端に設けた揺動体のストッパとからなるカラビナにおいて、前記揺動体の軸支側と反対側の自由端に前記ストッパと嵌合する開口部を設けると共に、前記自由端の両側に突起部を設け、揺動体の閉塞時に、前記開口部がストッパと嵌合しない場合に、突起部がストッパに当接することによって揺動体の回動を規制するカラビナである。
【発明の効果】
【００１１】
本発明は、カラビナの使用状態によって軸が緩んだりして揺動体が傾いた場合でも、揺動体の閉塞時に突起部がストッパに当接することでストッパから外れることが防止されるため、開口部は常にストッパと嵌合して良好な使用状態が長く保たれるという効果を奏する。
【図面の簡単な説明】
【００１２】
【図１】本発明のカラビナ全体の斜視図
【図２】本発明の揺動体の斜視図
【図３】本発明の揺動体の平面図
【図４】本発明の揺動体の作動状態を示す正面図
【図５】図４のＡ−Ａ矢視端面図
【図６】従来例の作動説明図
【図７】従来例の作動説明図
【発明を実施するための形態】
【００１３】
本発明を実施するための形態は、カラビナを略Ｃ字形の本体と揺動体によって構成し、前記本体の一端にピンによって揺動体を軸支し、他端には揺動体のストッパを構成し、前記揺動体のピン側と反対側の自由端に前記ストッパが嵌合する開口部を設けると共に自由端の上部両側に突起部を設けたカラビナである。
【実施例】
【００１４】
以下、本発明の一実施例を図に基づいて説明する。
図１はカラビナ全体の斜視図、図２は揺動体の斜視図、図３は揺動体の平面図、図４は揺動体の作動状態を示す正面図及び図５は図４のＡ−Ａ矢視端面図である。
【００１５】
図１に示すように、本発明のカラビナは、円柱状の金属あるいは合成樹脂からなる長径４〜５ｃｍ程度の変形した楕円形状であり、略Ｃ字形の本体１と、その一端部に取り付けた揺動体２からなる。
【００１６】
前記本体１の一端部（図中下側）を平板状にしてピン固定部１１を構成する。このピン固定部１１に、ピン１２によって揺動体２の端部を回動自在に軸支するのである。
一方、本体１の他端部には平板状のストッパ１３を構成してある。このストッパ１３は、本体１の内側（図中左側）に向かって斜面を形成して係合部１３ａを構成している。
【００１７】
前記揺動体２の下端部に、前記ピン固定部１１が嵌合する開口部２１を構成すると共に、上端部に上記ストッパ１３が嵌合する開口部２２を設けている。この開口部２２の底面２２ａは、前記係合部１３ａと対応して、本体１の外側に向かった斜面が形成されている。
【００１８】
さらに、前記揺動体２の上部で開口部２２付近の両側をそれぞれ外側に張り出した突起部２４，２４を構成する。
本実施例では、図３に示すように、揺動体２の直径Ｄ２を６ｍｍとし、突起部２４，２４の両端部の間隔Ｄ１を８ｍｍとした。突起部２４の長さ、幅、形状等は本実施例に限らず任意に決定できる。
【００１９】
次に、本実施例の作用について説明する。
図１の揺動体２の閉塞状態から、揺動体２を本体１の内側に押してカラビナを開き、小物やキーなどを差し込む。その後、揺動体２が回動して開口部２２が本体１のストッパ１３に嵌合して閉塞する。
揺動体２の内部には、図示しないスプリングが装着されており、このスプリングによって揺動体２は常に閉塞位置方向に付勢されている。
【００２０】
長年の使用などの原因でピン１２が緩むなどして、図４の仮想線で示すように揺動体２が本体１に対して傾斜していると、揺動体２が回動したときに開口部２２がずれて、ストッパ１３と嵌合しないことがある。
【００２１】
この状態は、図５に示すように、仮想線で示す突起部２４が図の上方から矢印方向に回動してストッパ１３に当接した状態であり、これによって揺動体２の回動は規制されるから、揺動体２は従来のようにストッパ１３を乗り越えて本体１の外側まで回動することはない。
【００２２】
このようにして、揺動体２の突起部２４がストッパ１３と当接して止まったら、手で揺動体２をずらしてストッパ１３に嵌合させれば良い。
このようにして、本実施例では揺動体２を常に本体１に嵌合させることができるため、カラビナを良好な状態で長く使用できるのである。
【符号の説明】
【００２３】
１  本体
２  揺動体
１１  ピン固定部
１２  ピン
１３  ストッパ
１３ａ  係合部
２１  開口部
２２  開口部
２４  突起部
【図１】
2011050689.tif 000003
【図２】
2011050689.tif 000004
【図３】
2011050689.tif 000005
【図４】
2011050689.tif 000006
【図５】
2011050689.tif 000007
【図６】
2011050689.tif 000008
【図７】
2011050689.tif 000009